(57)【特許請求の範囲】
【請求項１】
撮像を行う撮像素子と、
前記撮像素子により得られた画像を所定の記録媒体に記録する記録手段と、
無線通信を行う無線通信手段と、
無線通信機能および表示画面を有する外部機器に対する指示が入力される操作部と、
前記外部機器から画像要求されたとき、前記記録媒体に記録されている前記画像を前記外部機器へ伝送し、前記外部機器へ伝送された前記画像を前記外部機器の前記表示画面に表示することを前記外部機器から要求されたとき、前記操作部の操作に応じて前記外部機器に対して表示対象画像を指定し、その後、前記外部機器から操作情報を要求されたとき、前記操作部の操作に応じた操作情報を前記外部機器へ伝送する制御を行う制御手段と、
を有する電子カメラと、
無線通信機能および表示画面を有し、前記電子カメラから画像を受信すると、受信した画像に付加されている付属情報を基に受信画像を分類して前記表示画面にフォルダ表示を行う外部機器と、
を備え、
前記外部機器は、当該外部機器に前記電子カメラが接近すると当該電子カメラを動作状態にして接続要求を行い、前記電子カメラから接続応答を受信すると前記電子カメラに対して前記画像要求を送信することを特徴とする遠隔操作システム。
【請求項２】
請求項１に記載の遠隔操作システムにおいて、
前記電子カメラは、
通信相手となる外部機器を特定する識別情報を記憶しておく記憶手段と、前記記憶手段に予め登録された識別情報に基づいて通信対象の外部機器を判別する機器判別手段と、前記識別情報を基に伝送データを暗号化する暗号化手段と、を備えたことを特徴とする遠隔操作システム。
【請求項３】
請求項１又は２に記載の遠隔操作システムにおける前記外部機器であって、前記電子カメラに対して画像を要求して、前記電子カメラから画像を受信すると、受信した画像に付加されている付属情報を基に受信画像を分類して当該外部機器の前記表示画面にフォルダ表示を行い、受信画像を当該外部機器の前記表示画面に表示することを前記電子カメラに対して要求して、前記電子カメラでの操作に応じて前記電子カメラから表示対象画像が指定されると、指定された表示対象画像を当該外部機器の前記表示画面に表示し、その後、前記電子カメラに対して操作情報を要求して、前記電子カメラでの操作に応じた操作情報を前記電子カメラから受信すると、受信した操作情報に応じた動作を行うことを特徴とする外部機器。
【発明の詳細な説明】
【０００１】
【発明の属する技術分野】
本発明は、光電変換撮像素子により光学像を電気信号に変換する機能を備えた電子カメラ及び電子カメラを使用した外部機器の遠隔操作システムに関する。
【０００２】
【従来の技術】
特開平５−３３３２６０号公報には、赤外線を利用してカメラを遠隔操作するリモートコントロール装置が開示されている。この装置は、アクティブ式オートフォーカス装置の投光／受光手段をリモコン送信／受信機として兼用し、専用のリモコン送信機を使用することなく、カメラを遠隔操作できるように構成されている。特開平６−２６５９６０号公報及び特開平６−２６５９６１号公報にも同様の技術内容の開示がある。
【０００３】
【発明が解決しようとする課題】
しかしながら、従来提案されている技術は、カメラをワイヤレスリモコンで操作するものに過ぎない。デジタルカメラの分野では、撮影した画像データをパソコンなどの外部機器に転送する際に、シリアルケーブルやＵＳＢ等の有線による接続方式や、IrTranP のような赤外線方式が用いられている。そのため、カメラから外部機器を操作するときに、ケーブル長の制約を受けたり、赤外線の指向性や出力による制限を受け、実用的な遠隔操作を行うことが困難であった。
【０００４】
本発明はこのような事情に鑑みてなされたもので、カメラ自体を他の機器のリモコン送信機として使用可能な電子カメラを提供するとともに、その電子カメラを用いる外部機器の遠隔操作システムを提供することを目的とする。
【０００５】
【課題を解決するための手段】
前記目的を達成するために、請求項１に記載の発明は、撮像を行う撮像素子と、前記撮像素子により得られた画像を所定の記録媒体に記録する記録手段と、無線通信を行う無線通信手段と、無線通信機能および表示画面を有する外部機器に対する指示が入力される操作部と、前記外部機器から画像要求されたとき、前記記録媒体に記録されている前記画像を前記外部機器へ伝送し、前記外部機器へ伝送された前記画像を前記外部機器の前記表示画面に表示することを前記外部機器から要求されたとき、前記操作部の操作に応じて前記外部機器に対して表示対象画像を指定し、その後、前記外部機器から操作情報を要求されたとき、前記操作部の操作に応じた操作情報を前記外部機器へ伝送する制御を行う制御手段と、を有する電子カメラと、無線通信機能および表示画面を有し、前記電子カメラから画像を受信すると、受信した画像に付加されている付属情報を基に受信画像を分類して前記表示画面にフォルダ表示を行う外部機器と、を備え、前記外部機器は、当該外部機器に前記電子カメラが接近すると当該電子カメラを動作状態にして接続要求を行い、前記電子カメラから接続応答を受信すると前記電子カメラに対して前記画像要求を送信することを特徴とする遠隔操作システムを提供する。
【０００６】
本発明によれば、画像データを伝送する手段として無線通信手段を備えた電子カメラにおいて、その無線通信手段を活用して外部機器に対する操作信号を出力する。当該電子カメラは、外部機器への画像供給源となると同時に、外部機器を操作するためのリモコン送信機として機能する。これにより、外部機器の操作に際し、操作者は外部機器を直接操作することなく、手元のカメラから遠隔操作できる。
【０００７】
操作部は、外部機器の操作用としてカメラ本体に特別に設けられた専用操作部であってもよし、カメラ操作部と兼用されてもよい。操作情報とそれに対応する外部機器の動作の定義は、すべて外部機器側によって定義、制御可能なため、一つの電子カメラを複数の外部機器のリモコン送信機として使用することが可能である。また、新たな外部機器についても、カメラ側に変更を加えることなく対応が可能である。
【０００８】
無線通信手段として、Bluetooth 規格などのように電波を利用することにより、赤外線に比べて、指向性による制限が少ない。
【００１０】
デジタルカメラに適用する場合には、撮像素子から出力された信号をデジタル信号に変換するＡ／Ｄ変換手段と、デジタル信号を処理する信号処理手段が付加される。また、撮影した画像を表示し得る表示手段をカメラに付加する態様も好ましい。
【００１１】
請求項２に記載の発明は、請求項１に記載の遠隔操作システムにおいて、前記電子カメラは、通信相手となる外部機器を特定する識別情報を記憶しておく記憶手段と、前記記憶手段に予め登録された識別情報に基づいて通信対象の外部機器を判別する機器判別手段と、前記識別情報を基に伝送データを暗号化する暗号化手段と、を備えたことを特徴としている。
【００１２】
請求項３に記載の発明は、請求項１又は２に記載の遠隔操作システムにおける前記外部機器であって、前記電子カメラに対して画像を要求して、前記電子カメラから画像を受信すると、受信した画像に付加されている付属情報を基に受信画像を分類して当該外部機器の前記表示画面にフォルダ表示を行い、受信画像を当該外部機器の前記表示画面に表示することを前記電子カメラに対して要求して、前記電子カメラでの操作に応じて前記電子カメラから表示対象画像が指定されると、指定された表示対象画像を当該外部機器の前記表示画面に表示し、その後、前記電子カメラに対して操作情報を要求して、前記電子カメラでの操作に応じた操作情報を前記電子カメラから受信すると、受信した操作情報に応じた動作を行うことを特徴としている。
かかる分類表示を行うことにより、操作者は、所望の画像を素早く選択できる。
【００１３】
【発明の実施の形態】
以下添付図面に従って本発明に係る電子カメラ及び外部機器の遠隔操作システムの好ましい実施の形態について説明する。
【００１４】
図１は、本発明の実施形態に係るデジタルカメラの正面図である。同図に示したようにデジタルカメラ（以下、カメラと略記する。）１０には、撮影レンズ１２、ファインダー窓１４、ストロボ１６、ストロボ調光センサ１８、セルフタイマーＬＥＤ２０が設けられ、撮影レンズ１２の後方には撮像素子としてのＣＣＤイメージセンサ（図１中不図示、図４中符号６０として記載）が配置されている。符号２１はグリップ部である。図示されていないが、グリップ部２１と反対側のカメラ側面には、メモリカード（図４中符号８２として記載）のカードスロット、デジタル入出力端子、ビデオ出力端子、及びＤＣ電源用端子が設けられている。また、このカメラ１０は、微弱電波等の無線通信（例えば、Bluetooth 規格に従った通信インターフェース) によりデータの送受信を行うことができる機能を備えている。
【００１５】
図２に示したように、カメラ１０の上面には、レリーズボタン２２と電源スイッチ２４が設けられている。レリーズボタン２２は２段階式に構成され、レリーズボタン２２を軽く押して止める「半押し」の状態で自動ピント合わせ（ＡＦ）及び自動露出制御（ＡＥ）が作動してＡＦとＡＥをロックし、「半押し」から更に押し込む「全押し」の状態で撮影が実行される。
【００１６】
図３はカメラ１０の背面図である。カメラ１０の背面には、文字表示用液晶パネル２６、液晶モニタ２８、モードダイヤル３０、十字ボタン３２、及びファインダー３４等が設けられている。文字表示用液晶表示パネル２６は、カメラの状態や撮影モード等に関する情報を文字や簡単な図形等により表示する表示部であり、例えば、バッテリーチェック表示、撮影可能コマ数や再生コマ番号の表示、ストロボ発光の有無、マクロモード表示、記録画質（クオリティー）表示、画素数表示等の情報が表示される。
【００１７】
文字表示用液晶表示パネル２６の脇には、ストロボ撮影のモードを切り換えるためのストロボボタン３６及び近距離（マクロ）撮影モードに設定するためのマクロボタン３８が配設されている。
【００１８】
液晶モニタ２８は、撮影時に画角確認用の電子ファインダーとして使用できるとともに、撮影した画像のプレビュー画やメモリカードから読み出した再生画像等を表示する表示手段である。また、十字ボタン３２を使用したメニューの選択や各メニューにおける各種項目の設定なども液晶モニタ２８の表示画面を用いて行われる。
【００１９】
モードダイヤル３０は、カメラの機能を変更する手段である。モードダイヤル３０を回動操作し、ダイヤル上に描かれた各モードのマークを指標３９に合わせることにより、セットアップモード、セルフタイマー撮影モード、マニュアル撮影モード、通常撮影モード、再生モード、ＰＣモード等のモードの選択を行うことができる。
【００２０】
十字ボタン３２は、上下左右のいずれかの縁部を押圧することによって、対応する４方向（上、下、右、左）の指示を入力できるようにしたもので、メニュー画面における各種設定項目の選択や、設定内容の変更を指示する操作ボタンとして使用されるとともに、電子ズームの倍率調整、ズーム中心の移動指示、再生コマの送り／戻しを指示する手段として用いられる。
【００２１】
符号４０はシフトボタン、符号４２は表示ボタン４２である。シフトボタン４０は、十字ボタン３２その他のキースイッチの機能を拡張するためのプッシュスイッチである。表示ボタン４２は、液晶モニタ２８をＯＮ／ＯＦＦ操作したり、再生中のコマ番号等の表示／非表示を切り換えるための操作手段である。
【００２２】
モードダイヤル３０の指標３９を挟んで、上側にキャンセル／戻るボタン４４、下側にメニュー／実行ボタン４６が配設されている。キャンセル／戻るボタン４４は、メニューから選んだ項目の取消（キャンセル）や一つ前の操作状態に戻る時などに使用される。メニュー／実行ボタン４６は、各モードの通常画面からメニュー画面へ遷移させる時、或いは、選択内容の確定、処理の実行（確認）指示の時などに使用される。
【００２３】
また、カメラ底面には電池カバー４８が開閉自在に設けられ、電池（図３中不図示、図４中符号５６として記載）をグリップ部２１に沿って縦向きに挿入する構造になっている。
【００２４】
図４は、カメラ１０の内部構成を示すブロック図である。ＣＰＵ５０は、操作部５２からの信号入力に基づいて各回路を統括制御する制御部であり、液晶モニタ２８における表示の制御、ストロボ発光制御、オートフォーカス（ＡＦ）演算、及び自動露出（ＡＥ）演算等を行う。
【００２５】
操作部５２は、電源スイッチ２４、レリーズボタン２２、モードダイヤル３０、十字ボタン３２その他の指示入力手段を含むブロックである。電源スイッチ２４をオンにすると、ＣＰＵ５０は、電源コントロール回路５４にコマンドを送り、電池５６又はＤＣ電源用端子（不図示）に接続される外部電源から電源コントロール回路３８を介してカメラの各部に電源を供給し、各回路を動作可能にする。電池５６は充電式の電池（二次電池）でもよいし、市販の乾電池（一次電池）であってもよい。
【００２６】
撮影レンズ１２は、１枚又は複数枚のレンズで構成され、単焦点レンズでもよいし、ズームレンズ等の焦点距離可変のものでもよい。撮影レンズ１２を通過した光は、絞り５８によって光量が調節された後、ＣＣＤ６０に入射する。ＣＣＤ６０の受光面には、フォトセンサが平面的に配列されており、ＣＣＤ６０の受光面に結像された被写体像は、各フォトセンサによって入射光量に応じた量の信号電荷に変換される。なお、ＣＣＤ６０は、各フォトセンサの電荷蓄積時間（シャッタースピード）を制御可能な、いわゆる電子シャッター機能を有している。
【００２７】
こうして蓄積された信号電荷は、撮像系コントロール回路６２から与えられるパルスに基づいて信号電荷に応じた電圧信号（画像信号）として順次読み出される。
【００２８】
ＣＣＤ６０から出力された画像信号は、アナログ信号処理部６４に送られる。アナログ信号処理部６４は、サンプリングホールド回路、色分離回路、ゲイン調整回路等を含み、このアナログ信号処理部６４において、相関二重サンプリング（ＣＤＳ）処理並びにＲ，Ｇ，Ｂの各色信号に色分離処理され、各色信号の信号レベルの調整（プリホワイトバランス処理）が行われる。
【００２９】
アナログ信号処理部６４から出力された信号は、Ａ／Ｄ変換器６６によりデジタル信号に変換された後、デジタル信号処理部６８に加えられる。デジタル信号処理部６８は、輝度・色差信号生成回路、ガンマ補正回路、シャープネス補正回路、コントラスト補正回路、ホワイトバランス補正回路等を含む画像処理手段であり、ＣＰＵ５０からのコマンドに従って画像信号を処理する。
【００３０】
デジタル信号処理部６８に入力された画像データは、輝度信号（Ｙ信号）及び色差信号（Ｃr,Ｃb 信号）に変換されるとともに、ガンマ補正等の所定の処理が施された後、メモリ７０に格納される。メモリ７０に記憶された画像データは、ＣＰＵ５０の指令に従って読み出され、Ｄ／Ａ変換器７２を介してアナログ信号に変換されるとともに、ＮＴＳＣ方式などの所定の信号形式に変換されて、ビデオ出力端子７４及び液晶モニタ２８に出力される。
【００３１】
ＣＣＤ６０から出力される画像信号によってメモリ７０の画像データが定期的に書き換えられ、その画像データから生成される映像信号が液晶モニタ２８に供給されることにより、ＣＣＤ６０を介して入力する画像がリアルタイムに液晶モニタ２８に表示される。撮影者は、液晶モニタ２８に映し出される映像、或いは光学式のファインダー３４によって撮影画角を確認することができる。
【００３２】
モードダイヤル３０によって撮影モードが設定され、レリーズボタン２２が押下されると撮影開始指示（レリーズＯＮ）信号が発せられる。ＣＰＵ５０は、レリーズＯＮ信号を検知し、撮像系コントロール回路６２にコマンドを送る。撮像系コントロール回路６２は、レンズ駆動部７６を介してフォーカス制御を行うとともに、絞り５８やＣＣＤ６０での電荷蓄積時間を制御することにより露出制御を行う。
【００３３】
レリーズボタン２２の全押し操作に呼応して、記録用の画像データの取り込みが開始される。画像データを圧縮記録するモードが選択されている場合、ＣＰＵ５０は、圧縮伸張回路７８にコマンドを送る。これにより圧縮伸張回路７８は、メモリ７０上の画像データをＪＰＥＧその他の所定の形式に従って圧縮する。
【００３４】
圧縮された画像データは、カードインターフェース８０を介してメモリカード８２に記録される。非圧縮の画像データを記録するモード（非圧縮モード）が選択されている場合には、圧縮伸張回路７８による圧縮処理は省略され、非圧縮のまま画像データがメモリカード８２に記録される。
【００３５】
本例のカメラ１０では、画像データを保存する手段として、例えばスマートメディア（Solid-State Floppy Disk Card）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内部メモリ）であってもよい。
【００３６】
モードダイヤル３０によって再生モードが設定されると、メモリカード８２から画像ファイルが読み出される。読み出された画像データは、必要に応じて圧縮伸張回路７８によって伸張処理され、Ｄ／Ａ変換器７２を介してビデオ出力端子７４、及び液晶モニタ２８に出力される。
【００３７】
カメラ１０は、無線通信部８４を有し、この無線通信部８４を介して画像データ及び各種信号を送受信することができる。ＥＥＰＲＯＭ８６には、通信相手となる外部機器を特定するための識別情報（ＩＤ）が記憶され、ＣＰＵ５０は、ＥＥＰＲＯＭ８６に登録されている識別情報を基に通信対象機器を判別する。また、ＣＰＵ５０は、通信相手の識別情報を利用して伝送用データを暗号化回路８８において暗号化した後、これを無線通信部８４より送信する。
【００３８】
図５は、上述したカメラ１０とパソコン９０を組み合わせたシステムの概念図である。パソコン９０は、本体９２、ディスプレイ９４、キーボード９６、及びマウス９８から構成される。本体９２には、カメラ１０と同様に無線通信部１００が設けられており、パソコン９０は無線通信部１００を介して画像データ及び各種信号を送受信する機能を備えている。
【００３９】
次に、上記の如く構成されたカメラ１０及びパソコン９０の動作について説明する。
【００４０】
図６は、カメラ１０とパソコン（ＰＣ）９０の通信シーケンスを示す図である。カメラ１０で撮影動作を行った後、操作部５２によってカメラ本体をオフ、又はスリープ状態に設定しておく。カメラ１０及びパソコン９０には、予め通信相手となる機器に関する情報が登録されている。カメラ１０が予め関連付けられている外部機器（この場合、パソコン９０）に接近し、相互に通信可能な所定の距離範囲に入ると、パソコン９０が「Inquiry 」信号を発し、カメラ１０を無線通信によって動作状態にする。
【００４１】
パソコン９０から「Inquiry 」信号を受信したカメラ１０は、通信モードで立ち上がり、パソコン９０に対して「Inquiry 応答」を返す。これを受けたパソコ９０は、「コネクト要求」を出力する。カメラ１０が「コネクト応答」を返すと、パソコン９０は「画像要求」を送信する。カメラ１０は「画像要求」の受入に応じ、カメラ本体に記録されている画像データのうち、パソコン９０に記録されていない新規撮影画像を無線通信によってパソコン９０に転送する。
【００４２】
なお、接続相手は予め与えておいた識別情報（ＩＤ）によって選択され、その識別情報を基に伝送内容を暗号化することによりセキュリティを確保している。
【００４３】
カメラ１０から新規撮影画像のデータを受信したパソコン９０は、暗号データを解読処理し、画像閲覧が可能な状態になる。パソコン９０側では、カメラ１０から伝送された画像が、各画像データに付属する日付及び撮影条件等の付属情報を基に分類され、分類キー毎に仮想的なフォルダに格納されたものとして、フォルダ表示によってユーザに提示される。このフォルダ表示は、パソコン９０のディスプレイ９２又はカメラ１０の液晶モニタ２８、若しくはそれら両方に提示される。これにより、ユーザは閲覧したい画像を素早く選択できる。
【００４４】
パソコン９０は、「画面表示要求」及び必要なデータを送信し、これを受けたカメラ１０は「画面表示応答」を返す。「画面表示応答」を受信したパソコン９０は、その指示に従ってディスプレイ９４に画像表示を行う（図７参照）。画像表示中の状態になると、カメラ１０の十字ボタン３２その他の操作キーによりディスプレイ９４に表示中の閲覧画像のページ送り、拡大表示、画像消去、画像印刷などリモコン操作が可能になる。このとき、カメラ１０の液晶モニタ２８に、操作内容と操作キーの対応関係を示す操作案内を表示することも可能である。
【００４５】
パソコン９０は「キー入力送信要求」を出し、カメラ１０からのキー入力を待機する。ユーザがカメラ１０の操作部５２から所定の操作を行うと、その操作に応じたコマンド（「キー入力応答」）がカメラ１０から送信される。パソコン９０は受信したコマンドに従って対応する処理を実行する。そして、カメラ１０又はパソコン９０から通信終了の指令が発せられると、相互の通信を終了する。
【００４６】
図６では、カメラ１０のスリープ状態から復帰した時に自動的に通信モードに入り、リモコン送信機として機能する例を述べたが、操作者による所定の操作によってモードを切り換える構成でもよい。
【００４７】
図７には、ディスプレイ９４に閲覧画像１０２が表示されている様子が示されている。図８はカメラ１０の処理手順を示すフローチャートである。同図に示すように、まず、接続相手となる外部機器（本例ではパソコン９０）の識別情報を入力しておく（ステップＳ８１０）。カメラ１０とパソコン９０が所定の距離範囲内に接近すると、機器同士が自動的に通信を確立し、必要な情報の交換を行って接続機器の選択処理を行う（ステップＳ８１２）。
【００４８】
その後、パソコン９０からの要求信号の受信を行い（ステップＳ８１４）、受信した要求内容に応じた処理が行われる（ステップＳ８１６〜Ｓ８２２）。「画像送信要求」を受信した場合には、画像送信処理を行う（ステップＳ８１６）。「画面表示要求」を受信した場合には、画面表示の対象画像を指定する処理を行う（ステップＳ８１８）。「キー入力送信要求」を受信した時は、キー操作に伴うキー信号を送信する（ステップＳ８２０）。ステップＳ８１６、Ｓ８１８、又はＳ８２０の後は、ステップＳ８１４に戻る。
【００４９】
ステップＳ８１４において、「通信終了」のコマンドを受信した場合には、上述の通信処理を終了する（ステップＳ８２２）。
【００５０】
図９はパソコン９０の処理手順を示すフローチャートである。同図に示すように、パソコン９０は、カメラ１０に対して接続要求を行い（ステップＳ９１０）、応答受信後、カメラに対して画像送信要求を行う（ステップＳ９１２）。画像データを受信すると、次に、画面表示要求を行う（ステップＳ９１４）。カメラ１０側からリモコン操作によって表示対象画像が指定されると、その指定に係る画像をディスプレイ９４に表示する（ステップＳ９１６）。
【００５１】
その後、キー入力送信要求を行い（ステップＳ９１８）、カメラ１０からの指示入力を待機する。そして、受入したキー信号の内容に応じた処理が行われる（ステップＳ９２０〜Ｓ９２８）。キー信号に対応する動作の定義は、パソコン９０側で定義されている。十字ボタン３２の右キーの押下に対応するキー信号を受信した時は、ページ送り処理を行う（ステップＳ９２０）。ページ送り処理により、次コマの画像がディスプレイ９４に表示される。
【００５２】
十字ボタン３２の左キーの押下に対応するキー信号を受信した時は、ページ戻しの処理を行う（ステップＳ９２２）。ページ戻し処理により、前コマの画像がディスプレイ９４に表示される。
【００５３】
十字ボタン３２の上キーの押下に対応するキー信号を受信した時は、現在表示中の画像を再生ズーム機能によって拡大処理する（ステップＳ９２４）。また、十字ボタン３２の下キーの押下に対応するキー信号を受信した時は、拡大表示されている画像の縮小処理（ズームダウン）を行う（ステップＳ９２６）。ステップＳ９２０、Ｓ９２２、Ｓ９２４又はＳ９２６の後は、ステップＳ９１６に戻り、表示内容が変更される。ステップＳ９２８において、キャンセル／戻るボタン４４の押下に対応するキー信号（「CANCEL」）を受信した時は、通信を終了する（ステップＳ９２８）。
【００５４】
上記実施の形態では、カメラ１０によってディスプレイ９２における閲覧画像の切換や拡大／縮小を操作する例を述べたが、操作内容はこれに限らず、画像のトリミング、回転、画像補正、フィルタ処理などの画像編集操作などを行ってもよい。
【００５５】
上記実施の形態では、外部機器としてパソコン９０を適用したが、本発明の適用範囲は、これに限定されず、画像を保存する装置（ストレージャ）、画像検索装置、画像再生装置、画像管理装置、画像加工装置、プリンタなど、画像情報を取り扱う様々な機器に適用できる。例えば、カメラ１０で遠隔操作可能な外部機器としてプリンタを用いることにより、パソコン９０を経由することなく、カメラ１０から直接プリンタに画像を出力し、印刷の制御を行うことができる。
【００５６】
上記実施の形態では、静止画記録用のカメラを例に述べたが、動画記録機能を有するデジタルカメラや、ビデオカメラについても本発明を適用することができる。
【００５７】
【発明の効果】
以上説明したように本発明によれば、画像データの伝送に使用される無線通信手段を利用して、カメラ本体の操作部の操作情報を外部機器に伝送し、外部機器の遠隔操作を可能としたので、本発明の電子カメラは外部機器との連携操作をシームレスに行うことができ、ユーザは外部機器に接することなく、手元のカメラの操作のみで、撮影、画像の消去、画像の保存、印刷その他の様々な工程を行うことができる。
【図面の簡単な説明】
【図１】本発明の実施の形態に係るデジタルカメラの正面図
【図２】図１に示したデジタルカメラの平面図
【図３】図１に示したデジタルカメラの背面図
【図４】本例のデジタルカメラの内部構成を示すブロック図
【図５】デジタルカメラとパソコンから成るシステムの概念図
【図６】図５に示したシステムの通信シーケンスを示す図
【図７】デジタルカメラ１０から転送された画像がディスプレイに表示された様子を示す図
【図８】本例のデジタルカメラの処理手順を示すフローチャート
【図９】外部機器に相当するパソコン側の処理手順を示すフローチャート
【符号の説明】
１０…デジタルカメラ（電子カメラ）、１２…撮影レンズ、２８…液晶モニタ、３２…十字ボタン（操作部）、５０…ＣＰＵ（操作情報出力手段、機器判別手段）、５２…操作部、６０…ＣＣＤ（撮像素子）、８０…カードインターフェース（記録手段）、８２…メモリーカード（記録媒体）、８４，１００…無線通信部（無線通信手段）、８６…ＥＥＰＲＯＭ（記憶手段）、８８…暗号化回路（暗号化手段）、９０…パソコン（外部機器）
【図１】
0004019160.tif 000002
【図２】
0004019160.tif 000003
【図３】
0004019160.tif 000004
【図４】
0004019160.tif 000005
【図５】
0004019160.tif 000006
【図６】
0004019160.tif 000007
【図７】
0004019160.tif 000008
【図８】
0004019160.tif 000009
【図９】
0004019160.tif 000010